(57)【特許請求の範囲】
【請求項１】
パネルの長辺小口面から直角方向に形成するアンカー埋設穴と、さらにパネル裏面から前記穴に直交するボルト孔を形成するためのパネル穿孔用治具であって、パネル幅よりも長い治具本体の両端部には、パネルの相対する長辺小口面を挟持して該小口面と直角方向に治具本体を固定する把持機構を備え、かつ治具本体の一方の端部には、前記アンカー埋設穴形成用の穿孔刃を治具本体の長手方向にガイドするガイド機構を有し、治具本体の上面にはその中心線上に前記ボルト孔穿孔用の長孔を設けたことを特徴とするパネルの穿孔用治具。
【請求項２】
前記把持機構は、一方は治具本体に固定され、他方は治具本体に長手方向にスライド可能に装着されて治具本体にねじ止め可能となすとともに、把持部にパネル幅に応じて一定のパネル押圧力をスプリングにて付与する押圧機構を備えていることを特徴とする請求項１記載のパネルの穿孔用治具。
【請求項３】
前記ガイド機構は、形成するアンカー埋設穴の直径よりもやや大きい内径を有し、かつ底面に切欠きを有するガイド筒体を備え、治具本体に着脱可能となすことを特徴とする請求項１記載のパネルの穿孔用治具。
【発明の詳細な説明】
【０００１】
【発明の属する技術分野】
この発明は、例えばＡＬＣパネル等を建築物の外壁として躯体に取付ける金具等を、パネルに螺着するためのアンカーを埋設する穴を形成するのに用いる穿孔用治具に関する。
【０００２】
【従来の技術】
ＡＬＣパネル等を建築物の外壁として躯体に取付ける工法として、例えば図４に示すごとく、パネル２１の長手方向端部近傍に取付金具２５を螺着し、この金具を建築物の躯体梁に固着した定規アングルに取着する乾式工法がある。この工法における取付金具２５の螺着手段としては、まずパネル２１の長辺小口面２１−１から直角方向に、パネル面と平行で、パネル中心よりもやや深いアンカー埋設穴２２を長尺のドリルを使用して形成し、次いでパネル裏面から前記穴２２に直交するボルト孔２３を穿孔した後、パネル長辺小口面２１−１に開口している前記アンカー埋設穴２２から、パイプ状で中心部にねじ孔が穿設されたアンカー２４を挿入し、パネル裏面に開口している前記ボルト孔２３から、取付金具２５を挿通したボルト２６を挿入し前記ねじ孔に螺着している。
【０００３】
【発明が解決しようとする課題】
この工法は、パネル面に貫通孔がないので、貫通孔から浸水したり、パネル表面に亀裂が発生することはないが、工場で予めアンカー埋設穴２２とボルト孔２３を穿孔しておく場合は、穿孔位置の融通性が乏しく、また、建築現場で穿孔する場合には所望位置に穿孔可能であるが、厚さ１００ｍｍ前後のパネルの小口面から深さ４００ｍｍ程度のアンカー埋設穴２２を位置精度よく形成し、さらにこの穴に向ってパネル裏面からボルト穴２３を穿孔して直交させるには、高度な熟練を要し、手間がかかるという問題があった。
【０００４】
この発明は、上記した従来の問題を解決するためになされたもので、パネルの長辺小口面から直角方向に形成するアンカー埋設穴と、パネル裏面から前記穴に直交するボルト孔を位置精度よく容易に形成することが可能なパネル穿孔用治具を提供しようとするものである。
【０００５】
【課題を解決するための手段】
この発明に係るパネル穿孔用治具は、パネルの表面と長辺小口面（側面）に凹凸嵌合方式にて容易に着脱可能となすとともに、パネルに嵌合固定した状態で長辺小口面にアンカー埋設穴を、パネル裏面にボルト孔をそれぞれ手間をかけずに位置精度よく形成することができる治具であり、その要旨は、パネル幅よりも長い治具本体の両端部に、パネルの相対する長辺小口面を挟持して該小口面と直角方向に治具本体を固定する把持機構を備え、かつ治具本体の一方の端部には、前記アンカー埋設穴形成用の穿孔刃を治具本体の長手方向にガイドするガイド機構を有し、治具本体の上面にはその中心線上にボルト孔穿孔用の長孔を設けたことを特徴とし、また、前記把持機構は、一方は治具本体に固定され、他方は治具本体に長手方向にスライド可能に装着されて治具本体にねじ止め可能となすとともに、把持部にパネル幅に応じて一定のパネル押圧力をスプリングにて付与する押圧機構を備えていることを特徴とし、さらに前記ガイド機構は、形成するアンカー埋設穴の直径よりもやや大きい内径を有し、かつ底面に切欠きを有するガイド筒体を備え、治具本体に着脱可能となしていることを特徴とするものである。
【０００６】
この発明における把持機構は、パネル幅よりも長い治具本体の裏面、すなわちパネル面と相対する面に、パネルの表面と長辺小口面に当接するＬ字形の金具を取付ける。この場合、長辺小口面にアンカー埋設穴を形成する側のＬ字形金具は、治具本体に固着されており、反対側のＬ字形金具は、パネル幅に対応できるように所定の位置にスライド可能となしている。すなわち、この発明の把持機構は、一方は固定把持部とし、他方は可動把持部となしたものである。
【０００７】
固定把持部を構成するＬ字形金具に設ける穿孔刃のガイド機構は、当該Ｌ字形金具の長辺小口面に当接する垂直面に接するごとく治具本体にボルト等にて着脱可能に取付けられたブラケットに、アンカー埋設穴の直径よりもやや大きい内径を有し、かつ底面に切欠きを有するガイド筒体を治具本体の中心線と合致する位置に取付け、穿孔刃（ドリル）を前記ブラケット、ガイド筒体およびＬ字形金具を貫通させて治具本体の長手方向に直角にガイドできる構造となっている。
【０００８】
なお、穿孔刃のガイド機構を治具本体に着脱可能としたのは、パネルの厚さの変動に対応できるようにするためである。すなわち、パネルの厚さが異なると当然アンカー埋設穴の形成位置が変わってくるため、パネルの厚さに応じて専用のガイド機構を取替え使用できるようにするためである。また、ガイド筒体の底面に切欠きを形成したのは、穿孔中に発生したパネル切粉を円滑に排出させるためである。
【０００９】
一方、可動把持部は、Ｌ字形金具をパネル小口面に圧接させる押圧機構と、この押圧機構を治具本体の長手方向中心線上に穿設した長孔に沿ってスライドさせてパネル面に固定する摺動機構とから構成されている。前記押圧機構は、Ｌ字形金具を治具本体上面に穿設した長孔に沿って摺動可能に設けるとともに、このＬ字形金具と一体的に取付けられ、常時固定把持部側へ押圧力を付勢するスプリング付きレバーと、このレバーを所定の位置に脱着可能に係止する係合金具とから構成され、パネル幅の変動に応じて可動のＬ字形金具の押圧力を調整できるようになっている。
【００１０】
また、前記摺動機構は、前記係合金具に螺着した止めねじが治具本体上面に穿設した長孔に沿って摺動可能となすとともに、この止めねじにて前記係合金具を締付けて治具本体に固定できる構造となっており、パネル幅に応じて可動のＬ字形金具を所定の位置に固定できるようになっている。
【００１１】
この発明の穿孔用治具は、前記固定把持部と可動把持部とでパネルの相対する長辺小口面を把持して直角方向に固定できるとともに、幅の異なるパネルでも同じ押圧力で固定することができる。また、前記固定把持部に着脱可能に設けたガイド機構により、穿孔刃（ドリル）をパネルの長辺小口面に直角方向に保持できるとともに、その長辺小口面から精度よくアンカー埋設穴を形成することができる。さらに、穿孔刃のガイド機構を取替え可能としたことにより、パネルの厚さが異なってもその厚さに合わせたガイド機構を用いることにより容易に対応できる。また、治具本体に穿設した長孔を利用してパネル面から前記アンカー埋設穴に直交するボルト孔を精度よく穿孔することができる。
【００１２】
【発明の実施の形態】
図１はこの発明に係るパネル穿孔用治具の一例を示す斜視図、図２は図１に示すパネル穿孔用治具をパネルに取付けた状態を示す縦断側面図、図３は同じく図１に示すパネル穿孔用治具をパネルに取付けた状態を示す平面図であり、１はパネル穿孔用治具、２は治具本体、３は長孔、４は固定Ｌ字形金具、５は可動Ｌ字形金具、６はガイド用ブラケット、７はボルト、８はガイド筒体、９は押圧用レバー、１０はスプリング、１１は係合金具、１２は止めねじである。
【００１３】
すなわち、パネル穿孔用治具１は、断面凹形の細長いチャンネル状で、パネル１１の最大幅よりも長尺の部材からなり、かつ上面にボルト孔穿孔用の長孔３をその中心線上に穿設した治具本体２と、この治具本体の一端に当該治具本体と直角に固着した適当長さの固定Ｌ字形金具４および穿孔刃（ドリル）のガイド機構からなる固定把持部と、同治具本体の他端に当該治具本体の長手方向にスライド可能に取付けた可動Ｌ字形金具５および該金具を所定の位置にねじ止め可能となし、かつパネル小口面に圧接させる押圧機構を具備した可動把持部とから構成されている。
【００１４】
固定把持部を構成する固定Ｌ字形金具４は、治具本体２の端部裏面にボルトまたは溶接等により固着しており、その垂直面には治具本体２の長手方向中心線の真下の所定高さ位置に穿孔用の孔４−１が穿設されている。このＬ字形金具４の垂直面には、前記穿孔用の孔４−１と同一中心線上にこれと同じ穿孔用の孔６−１が穿設された断面逆凹形のガイド用ブラケット６を該金具より外側に突出した金具端部にボルト７により固着し、その内側にアンカー埋設穴よりやや大きい内径を有し、かつ底面に切粉排出用の切欠８−１を有するガイド筒体８をボルトまたは溶接等により固着している。このガイド用ブラケット６およびガイド筒体８からなるガイド機構は、パネルの厚さに合わせて必要数製作する。
【００１５】
可動把持部を構成する可動Ｌ字形金具５は、パネル面に相対する水平片５−１の端部に、治具本体の上面中心線上に穿設したボルト孔穿孔用の長孔３にスライド可能に貫通する断面逆凹形のガイド部５−２を有し、このガイド部５−２を介して治具本体２の長手方向に移動可能に装着するとともに、前記ガイド部５−２部に緩貫通した押圧用レバー９を介して、治具本体２の上面にスライド可能に装着した係合金具１１と接続され、かつ前記押圧用レバー９に外嵌したスプリング１０にて常時固定把持部側へ押圧力が付勢されるように、押圧用レバー９の取手部９−１を前記係合金具１１に設けた複数の係止凹部１１−１に前記スプリング１０に抗して着脱可能に係止できるようになっている。また、係合金具１１には、該金具の端部に突設した水平板１１−２に止めねじ１２が螺着され、この止めねじ１２を締付けることにより治具本体背面側に取付けたプレート１１−３とにより治具本体２に固定できるようになっている。
【００１６】
すなわち、この可動把持部は、パネル幅に応じて可動のＬ字形金具５を所定の位置に固定できるようになっており、かつスプリング力によりこのＬ字形金具５のパネル小口面に対する押圧力を調整できるようになっている。
【００１７】
上記構造のパネル穿孔用治具の使用に際しては、まず止めねじ１２０緩め、固定把持部と可動把持部の間隔をパネル幅に応じた寸法に開き、押圧用レバー９を開いておく。この状態でパネル２１の裏面に治具本体をセットするが、その際、固定把持部を構成する固定Ｌ字形金具４の垂直面をパネル２１の長辺小口面２１−１に当接させ、治具本体２の中心線がパネルの短辺小口面２１−２から所望の寸法となるように位置決めした後、可動把持部を構成する可動Ｌ字形金具５にてこの側の長辺小口面２１−１に当接して挟持させ、止めねじ１２を締付けて係合金具１１を固定する。続いて、押圧用レバー９をスプリング１０に抗して固定把持部側へ引いて適当な係止凹部１１−１に嵌入することにより、可動Ｌ字形金具５がスプリング力によりパネル小口面に押圧固定される。
【００１８】
次に、穿孔刃である電動ドリル（図面省略）を固定把持部側のガイド筒体８に挿入して駆動させれば、穿孔刃はガイド筒体８にガイドされて治具本体２の中心線上をパネル面と平行に穿孔を開始する。この時発生する切粉はガイド筒体８の切欠８−１から排出される。そして、所望の深さに穿孔してアンカー埋設穴２２を形成する。続いて、電動ドリルを治具本体２の長孔３の所定位置にセットし、下方に向って垂直に穿孔すれば、先に形成したアンカー埋設穴２２に直交したボルト孔２３を穿設することができる。
【００１９】
アンカー埋設穴２２およびボルト孔２３の穿孔作業が終了すると、係合金具１１に係止している押圧用レバー９を係止凹部１１−１から離脱させて可動Ｌ字形金具５の押圧力を解除し、パネル穿孔用治具をパネルから取外す。
【００２０】
なお、この発明装置における固定把持部と可動把持部の間隔は、最大幅の約１／２まで変更可能に設けることができる。また、穿孔作業をより正確、迅速に行うために、長孔３の側端面に固定Ｌ字形金具５からの寸法を示す目盛を付し、固定Ｌ字形金具５の上面に治具本体２の中心線からの目盛を付すと便利である。
【００２１】
【発明の効果】
以上説明したごとく、この発明のパネル穿孔用治具は、以下に記載する効果を奏する。
（１）固定把持部と可動把持部とでパネルの相対する長辺小口面を把持して直角方向に固定できるとともに、幅の異なるパネルでも同じ押圧力で固定することができる。
（２）固定把持部に着脱可能に設けたガイド機構により、穿孔刃（ドリル）をパネルの長辺小口面に直角方向に保持できるとともに、その長辺小口面から精度よくアンカー埋設穴を形成することができる。
（３）穿孔刃のガイド機構を取替え可能としたことにより、パネルの厚さが異なってもその厚さに合わせたガイド機構を用いることにより容易に対応できる。
（４）治具本体に穿設した長孔を利用してパネル面から前記アンカー埋設穴に直交するボルト孔を精度よく穿孔することができる。
（５）治具は幅の異なるパネルでもほぼ同じ押圧力で固定するので、パネルを損傷することがない。
（６）アンカー埋設穴およびボルト孔を位置精度よく、容易に形成することができるので作業能率を著しく向上できる。
【図面の簡単な説明】
【図１】この発明に係るパネル穿孔用治具の一例を示す斜視図である。
【図２】図１に示すパネル穿孔用治具をパネルに取付けた状態を示す縦断側面図である。
【図３】同じく図１に示すパネル穿孔用治具をパネルに取付けた状態を示す平面図である。
【図４】パネル取付金具を取着したＡＬＣパネルの一例を示す縦断面図である。
【符号の説明】
１  パネル穿孔用治具
２  治具本体
３  長孔
４  固定Ｌ字形金具
５  可動Ｌ字形金具
６  ガイド用ブラケット
７  ボルト
８  ガイド筒体
９  押圧用レバー
１０  スプリング
１１  係合金具
１２  止めねじ
【図１】
0003614960.tif 000002
【図２】
0003614960.tif 000003
【図３】
0003614960.tif 000004
【図４】
0003614960.tif 000005